(57)【要約】【課題】静電気対策の信頼性を向上させることができる電子機器を提供する。【解決手段】電子機器である投写型映像表示装置は、筐体３と、筐体３に収容されるプリント配線板４とを備え、プリント配線板４は、基板４１と、基板４１に設けられたグランド層４２と、露出する静電気対策用の放電用導電部４４と、基板４１に設けられたビア４５とを備えている。そして、放電用導電部４４とグランド層４２を電気的に接続するためのビア４５が複数設けられ、少なくとも２つ以上のビア４５を介して放電用導電部４４とグランド層４２とが電気的に接続されている。【選択図】図５
2010135230.tif 000002
【特許請求の範囲】
【請求項１】
筐体と、この筐体に収容されるプリント配線板とを備え、前記プリント配線板は、基板と、この基板に設けられたグランド層と、露出する静電気対策用の放電用導電部と、前記基板に設けられたビアとを備える電子機器であって、
前記放電用導電部と前記グランド層を電気的に接続するための前記ビアが複数設けられ、少なくとも２つ以上の前記ビアを介して前記放電用導電部と前記グランド層とが電気的に接続されていることを特徴とする電子機器。
【請求項２】
前記プリント配線板には電子部品であるスイッチが設けられ、複数の前記ビアが、前記スイッチが前記プリント配線板に設けられる箇所を取り囲むように設けられていることを特徴とする請求項１に記載の電子機器。
【請求項３】
前記プリント配線板は、前記放電用導電部が設けられる他のグランド層を備え、前記放電用導電部及び前記他のグランド層は、前記スイッチが前記プリント配線板に設けられる箇所から、所定間隔を空けて設けられていることを特徴とする請求項２に記載の電子機器。
【請求項４】
前記スイッチを押すための押しボタンをさらに備え、
前記筐体と前記押しボタンとにより形成される隙間の延長線上に前記放電用導電部が設けられ、前記プリント配線板の厚み方向において前記隙間と前記放電用導電部が対向していることを特徴とする請求項２または請求項３に記載の電子機器。
【請求項５】
前記放電用導電部は、前記スイッチが前記プリント配線板に設けられる箇所を取り囲むように複数設けられ、複数の前記放電用導電部の間に前記ビアが設けられていることを特徴とする請求項２乃至請求項４のいずれか一項に記載の電子機器。
【請求項６】
前記放電用導電部の形状は、プリント配線板の厚み方向から見て、略長方形であることを特徴とする請求項５に記載の電子機器。
【請求項７】
前記放電用導電部は、前記スイッチが前記プリント配線板に設けられる箇所を取り囲む連続した形状をなすように設けられていることを特徴とする請求項２乃至請求項４のいずれか一項に記載の電子機器。
【請求項８】
前記筐体に収容されるとともに接地される導体板をさらに備え、
前記グランド層上には接地用接続部が設けられ、前記導体板に前記接地用接続部が接触することにより、前記グランド層と前記導体板とが電気的に接続されることを特徴とする請求項１乃至請求項７のいずれか一項に記載の電子機器。
【発明の詳細な説明】
【技術分野】
【０００１】
本発明は、静電気対策が施されたプリント配線板を備える電子機器に関する。
【背景技術】
【０００２】
電子機器が有する押ボタンを操作する場合等において、帯電した人体から電子機器の筐体に収容されたプリント配線板に向けて静電気が放電されることが知られている。このような静電気による不都合を回避するために、プリント配線板を構成する基板に静電気対策用の放電用導電部を設けることが開示されている（例えば、特許文献１参照）。
【０００３】
具体的には、電子機器は、筐体と、筐体に収容されるプリント配線板とを備えており、プリント配線板は、例えば、基板と、基板に設けられたグランド層（ＧＮＤ）と、露出する静電気対策用の放電用導電部（放電用ＧＮＤランド）と、基板に設けられたビア（ＶＩＡホール）とを備えることが知られている。
【特許文献１】特開２００７−２０７４９７号公報
【発明の開示】
【発明が解決しようとする課題】
【０００４】
ところで、上記特許文献１に記載されるプリント配線板を用いる場合であっても、放電用導電部と上記プリント配線板において基準電位となるグランド層との間のインピーダンスを低下させることが十分にできない場合があった。従って、静電気による不都合を回避するために施された静電気対策の信頼性が十分でないという問題があった。
【０００５】
本発明は、こうした実情に鑑みてなされたものであり、その目的は、静電気対策の信頼性を向上させることができる電子機器を提供することにある。
【課題を解決するための手段】
【０００６】
請求項１に記載の発明は、筐体と、筐体に収容されるプリント配線板とを備え、プリント配線板は、基板と、基板に設けられたグランド層と、露出する静電気対策用の放電用導電部と、基板に設けられたビアとを備える電子機器であって、放電用導電部とグランド層を電気的に接続するための上記ビアが複数設けられ、少なくとも２つ以上のビアを介して放電用導電部とグランド層とが電気的に接続されていることを特徴とする。
【０００７】
同構成によれば、放電用導電部とグランド層を電気的に接続するためのビアが複数設けられ、静電気対策用の放電用導電部は少なくとも２つ以上のビアを介してグランド層に接続されている。従って、放電用導電部を多点接続によりグランド層に接地することができるため、放電用導電部とグランド層との間のインピーダンスを確実に低下させることができ、その結果、静電気対策の信頼性を向上させることができる。
【０００８】
請求項２に記載の発明は、請求項１に記載の電子機器であって、プリント配線板には電子部品であるスイッチが設けられ、複数のビアが、スイッチがプリント配線板に設けられる箇所を取り囲むように設けられていることを特徴とする。
【０００９】
同構成によれば、複数のビアが、スイッチがプリント配線板に設けられる箇所を取り囲むように設けられているため、スイッチを取り囲む複数のビアのうちスイッチの最も近くに設けられたビアを介して放電用導電部とグランド層とが接続されることにより、放電用導電部とグランド層との間のインピーダンスを確実に低下させることができる。その結果、静電気対策の信頼性をより向上させることができる。
【００１０】
請求項３に記載の発明は、請求項２に記載の電子機器であって、プリント配線板は、放電用導電部が設けられる他のグランド層を備え、放電用導電部及び他のグランド層は、スイッチがプリント配線板に設けられる箇所から、所定間隔を空けて設けられていることを特徴とする。
【００１１】
同構成によれば、放電用導電部及び放電用導電部が設けられる他のグランド層は、スイッチがプリント配線板に設けられる箇所から、所定間隔を空けて設けられているため、放電用導電部とスイッチとの間のインピーダンス、及び他のグランド層とスイッチとの間のインピーダンスを高めることができ、相対的に放電用導電部とグランド層との間のインピーダンスを低下させることができる。その結果、静電気対策の信頼性をより一層向上させることができる。
【００１２】
請求項４に記載の発明は、請求項２または請求項３に記載の電子機器であって、スイッチを押すための押しボタンをさらに備え、筐体と押しボタンとにより形成される隙間の延長線上に放電用導電部が設けられ、プリント配線板の厚み方向において隙間と放電用導電部が対向していることを特徴とする。
【００１３】
同構成によれば、筐体と押しボタンとにより形成される隙間の延長線上に静電気対策用の放電用導電部が設けられ、プリント配線板の厚み方向において上記の隙間と放電用導電部が対向しているため、筐体と押しボタンとの隙間から放電用導電部へ静電気を放電し易くすることができる。
【００１４】
請求項５に記載の発明は、請求項２乃至請求項４のいずれか一項に記載の電子機器であって、放電用導電部は、スイッチがプリント配線板に設けられる箇所を取り囲むように複数設けられ、複数の放電用導電部の間にビアが設けられていることを特徴とする。
【００１５】
同構成によれば、放電用導電部は、スイッチがプリント配線板に設けられる箇所を取り囲むように複数設けられ、複数の放電用導電部の間にビアが設けられている。従って、はんだペーストを用いて放電用導電部を形成するためのメタルマスクの形状等に起因して、１つの放電用導電部でスイッチを取り囲むことができない場合には、上記のように複数の放電用導電部の間を有効に活用することができる。即ち、複数の放電用導電部の間にビアが形成されていない場合に比し、放電用導電部とグランド層との間のインピーダンスを確実に低下させることができる。
【００１６】
請求項６に記載の発明は、請求項５に記載の電子機器であって、放電用導電部の形状は、プリント配線板の厚み方向から見て、略長方形であることを特徴とする。
同構成によれば、放電用導電部の形状は、プリント配線板の厚み方向から見て略長方形であるため、放電用導電部の形状がプリント配線板の厚み方向から見て円形である場合に比し、上記箇所を取り囲む周方向について、放電用導電部の面積を大きくすることを容易に行うことができる。
【００１７】
請求項７に記載の発明は、請求項２乃至請求項４のいずれか一項に記載の電子機器であって、放電用導電部は、スイッチがプリント配線板に設けられる箇所を取り囲む連続した形状をなすように設けられていることを特徴とする。
【００１８】
同構成によれば、放電用導電部は、スイッチがプリント配線板に設けられる箇所を取り囲む連続した形状をなすように設けられている。従って、１つの放電用導電部でスイッチを取り囲むことができ、スイッチを取り囲む放電用導電部が不連続である場合に比し、放電用導電部の面積を大きくすることができる。
【００１９】
請求項８に記載の発明は、請求項１乃至請求項７のいずれか一項に記載の電子機器であって、筐体に収容されるとともに接地される導体板をさらに備え、グランド層上には接地用接続部が設けられ、導体板に接地用接続部が接触することにより、グランド層と導体板とが電気的に接続されることを特徴とする。
【００２０】
同構成によれば、グランド層と導体板とを電気的に接続するために、導体板に、グランド層上に設けられた接地用接続部が接触する構成となっている。このため、例えばグランド層の一部にカバー層が設けられている場合であっても、グランド層上に設けられた接地用接続部が、カバー層に比し、導体板へ向けて突出していることにより、グランド層と導体板とが確実に接続される。従って、放電用導電部のインピーダンスをより一層確実に低下させることができる。その結果、静電気対策の信頼性をさらにより一層向上させることができる。
【発明の効果】
【００２１】
本発明によれば、露出する静電気対策用の放電用導電部とグランド層との間のインピーダンスを確実に低下させることができ、静電気対策の信頼性を向上させることができる。
【発明を実施するための最良の形態】
【００２２】
以下、本発明の電子機器を投写型映像表示装置として具体化した一実施形態について図面を参照しながら説明する。なお、図面において、矢印Ｓはプリント配線板において部品が実装される面に平行な方向である面方向を示し、矢印Ｔは面方向に垂直な方向である厚み方向を示している。
【００２３】
図１に示すように、投写型映像表示装置１は、投写レンズ２を用いて前方へ光を投射することにより映像を表示するフロントプロジェクタであって、光を透過させて映像を生成するために液晶パネル（不図示）を備えた液晶プロジェクタである。
【００２４】
図２に示すように、投写型映像表示装置１は、液晶パネル等の光学部品等を収納する筐体３と、筐体３に収容されるプリント配線板４と、筐体３内に収容されるとともに接地される導体板５と、投写型映像表示装置１の基準電位となる導体６とを備えている。なお、図２は、本発明に係る静電気対策が施されたプリント配線板４の配置箇所を説明するための断面図であって、投写型映像表示装置１が備える光学部品等の図示は省略されている。
【００２５】
形状が略直方体の筐体３の一部には貫通孔３１が形成されている。この貫通孔３１には、投写型映像表示装置１のユーザにより操作される押しボタン７１が設けられており、この押しボタン７１と、プリント配線板４に設けられた電子部品であるスイッチ７２とにより押しボタンスイッチ７が構成されている。なお、押しボタン７１は、プリント配線板４の面方向Ｓにおいて、スイッチ７２よりも大きい。
【００２６】
また、筐体３には、プリント配線板４を支持するための配線板支持部３２が設けられている。この配線板支持部３２は、筐体３の内部へ向けて（即ち、プリント配線板４へ向けて）突出するように設けられており、樹脂製の筐体３と一体に形成されている。
【００２７】
電子機器である投写型映像表示装置１を制御するためのプリント配線板４は、多層プリント配線板であって、図３及び図４に示すような静電気対策用のパターンを有している。なお、図３は、プリント配線板４を上方から見た図（即ち、上面図）であって、図４は、プリント配線板４を下方から見た図（即ち、下面図）である。
【００２８】
具体的には、図５に示すように、多層プリント配線板であるプリント配線板４は、複数の基板４１と、基板４１に設けられたグランド層４２，４３と、グランド層４２，４３の一部を覆うソルダ・レジストとよばれる導電性を有していないカバー層（不図示）と、露出する静電気対策用の放電用導電部４４と、基板４１に設けられたビア４５とを備えている。
【００２９】
基板４１は、絶縁性の樹脂により形成された基材であって、多層プリント配線板においては、複数の基板４１が積層されることにより、プリント配線板４が形成されている。なお、本実施形態においては、プリント配線板４は、複数の基板４１を備える多層プリント配線板であるが、１つの基板４１を備える両面プリント配線板を用いてもよい。
【００３０】
グランド層４２，４３は、導体６に直接的または間接的に接続されることにより、接地されることを目的とした導電層であって、銅等の金属により形成されている。グランド層４２は、プリント配線板４の下面４ｂ（即ち、プリント配線板４においてスイッチ７２が実装される面である上面４ａの反対側の面）に設けられ、グランド層４３は、プリント配線板４の上面４ａに設けられている。グランド層４２，４３は、導体６に接続されることにより接地された導体板５と電気的に接続されており、本実施形態においては、プリント配線板４の下面４ｂに設けられたグランド層４２は、プリント配線板４上の回路の基準電位となる導体である。
【００３１】
なお、グランド層４２，４３の一部を覆うカバー層は、絶縁性を有している。そのため、グランド層４２を導体板５と電気的に接続する箇所においては、カバー層が在ると電気的な接続の妨げとなるため、グランド層４２上にカバー層は設けられていない。また、グランド層４３に放電用導電部４４を設ける箇所においても、上記と同じ理由で、グランド層４３上にカバー層は設けられていない。
【００３２】
静電気対策用の放電用導電部４４は、グランド層４３上に設けられた導体からなり、部品を実装するために用いられるランドと同様に形成することができ、例えばリフロー工程においては、メタルマスクを用いてはんだペーストを配置して形成することができる。プリント配線板４の上面４ａに設けられた放電用導電部４４は、ビア４５を介して、プリント配線板４の下面４ｂに設けられたグランド層４２と電気的に接続されている。また、放電用導電部４４は、スイッチ７２がプリント配線板４に設けられる箇所から所定間隔（例えば、１ｍｍ以上）を空けて設けられており、スイッチ７２がプリント配線板４に設けられる箇所を取り囲むように複数設けられている。具体的には、本実施形態においては、放電用導電部４４は、スイッチ７２がプリント配線板４に設けられる箇所の中心Ｃを中心とする１つの円の一部をなすように複数設けられている。このようにして設けられた放電用導電部４４は、上記隙間Ｍの延長線上に設けられ、プリント配線板４の厚み方向Ｔにおいて隙間Ｍと放電用導電部４４が対向しており、形状がプリント配線板４の厚み方向Ｔから見て略長方形である。
【００３３】
ビア４５は、めっきが施されたスルーホールであって、グランド層４２とグランド層４３とがビア４５によって接続されることにより、放電用導電部４４とグランド層４２とが電気的に接続されている。複数のビア４５は、スイッチ７２がプリント配線板４に設けられる箇所を取り囲むよう設けられている。具体的には、本実施形態においては、複数のビア４５が、スイッチ７２がプリント配線板４に設けられる箇所の中心Ｃを中心として、放電用導電部４４よりも遠心側において、円周をなすように設けられている。即ち、複数のビア４５は、上記隙間Ｍの相似形をなすように設けられている。
【００３４】
導体板５は、例えば鉄やアルミニウムからなる金属板であって、電子機器の基準電位（即ち、投写型映像表示装置１の基準電位）となる導体６に対してビス８を用いて固定されている。従って、導体６、導体板５、グランド層４２、及び放電用導電部４４は互いに電気的に接続されており、グランド層４２を導体板５及び導体６に接続することにより、静電容量を大きくして、グランド層４２に接続された放電用導電部４４における電位変化を小さくすることを図っている。
【００３５】
以上のように、本実施形態においては、投写型映像表示装置１は、筐体３と、筐体３に収容されるプリント配線板４とを備え、プリント配線板４は、基板４１と、基板４１に設けられたグランド層４２と、露出する静電気対策用の放電用導電部４４と、基板４１に設けられたビア４５とを備えている。
【００３６】
ここで、本実施形態においては、放電用導電部４４とグランド層４２を電気的に接続するためのビア４５が複数設けられ、少なくとも２つ以上のビア４５を介して放電用導電部４４とグランド層４２とが電気的に接続されていることに特徴がある。
【００３７】
具体的には、グランド層４３は、スイッチ７２を取り囲む複数のビア４５の全てに連続するように設けられるとともに、図３に示すように、放電用導電部４４と同様に、スイッチ７２がプリント配線板４に設けられる箇所から所定間隔を空けて設けられている。より具体的には、グランド層４３は、図３に示す破線Ｌ１の外側に設けられており、スイッチ７２がプリント配線板４に設けられる箇所の中心Ｃから所定間隔を空けて設けられている。従って、１つの放電用導電部４４は、導電層であるグランド層４３を介して、２つ以上のビア４５に接続されることにより、２つ以上のビア４５を介して、グランド層４２に多点接続されている。このような構成により、放電用導電部４４とグランド層４２とを接続する回路において、複数のビア４５が並列に接続されており、放電用導電部４４とグランド層４２との間のインピーダンスは、個々のビア４５のインピーダンスを合成した合成インピーダンスとなる。
【００３８】
なお、図３における二点鎖線Ｌ２は、スイッチ７２がプリント配線板４に設けられる箇所の領域を示しており、この領域は、スイッチ７２が有する端子（不図示）及びプリント配線板４に設けられた露出する配線パターン（不図示）を含んでいる。従って、破線Ｌ１の内側であって二点鎖線Ｌ２の外側の領域は、プリント配線板４の表面にグランド層４３、放電用導電部４４、スイッチ７２の端子、及び配線パターン等の導体が設けられていないクリアランス領域である。
【００３９】
また、グランド層４２も同様に、スイッチ７２を取り囲む複数のビア４５の全てに連続するように設けられるとともに、スイッチ７２がプリント配線板４に設けられる箇所から所定間隔を空けて設けられている。具体的には、グランド層４２は、図４に示す破線Ｌ３の外側に設けられており、スイッチ７２がプリント配線板４に設けられる箇所の中心Ｃから所定間隔を空けて設けられている。なお、図４における破線Ｌ３は、スイッチ７２の端子と導電層４８（図５及び図６参照）とを電気的に接続するためのビア４９（図５及び図６参照）を含む領域を示している。このような構成により、ビア４９とグランド層４２との間のインピーダンスを高めることができ、グランド層４２を介する放電用導電部４４と導体板５との間のインピーダンスを相対的に低下させることを図ることができる。
【００４０】
また、本実施形態においては、放電用導電部４４は、スイッチ７２がプリント配線板４に設けられる箇所を取り囲むように複数設けられ、複数の放電用導電部４４の間にビア４６が設けられている。ビア４６は、ビア４５と同様に、めっきが施されたスルーホールであって、グランド層４２とグランド層４３とがビア４６によって接続されている。このような構成により、放電用導電部４４を形成するためのメタルマスクの形状等に起因して、上記隙間Ｍの形状をなすように放電用導電部４４を設けることができない場合に（即ち、１つの放電用導電部４４でスイッチ７２を取り囲むことができない場合に）、複数の放電用導電部４４の間を有効に活用することができる。
【００４１】
また、本実施形態においては、グランド層４２上に接地用接続部４７が設けられ、導体板５に接地用接続部４７が接触することにより、グランド層４２と導体板５とが電気的に接続されている。即ち、グランド層４２と導体板５とを電気的に接続するために、導体板５に、グランド層４２上に設けられた接地用接続部４７が接触する構成となっている。
【００４２】
接地用接続部４７は、グランド層４２を導体板５と電気的に接続する箇所においてグランド層４２上に設けられた導体からなり、例えば、放電用導電部４４と同様にはんだペーストにより形成されている。プリント配線板４の下面４ｂに設けられた接地用接続部４７は、ビア４５を介して、プリント配線板４の上面４ａに設けられたグランド層４３と電気的に接続されている。また、グランド層４２上に設けられた接地用接続部４７は、スイッチ７２がプリント配線板４に設けられる箇所の中心Ｃから所定間隔を空けて設けられており、スイッチ７２がプリント配線板４に設けられる箇所を取り囲むように複数設けられている。
【００４３】
本実施形態の投写型映像表示装置１によれば、以下の効果を奏することができる。
（１）放電用導電部４４とグランド層４２を電気的に接続するためのビア４５が複数設けられ、少なくとも２つ以上のビア４５を介して放電用導電部４４とグランド層４２とが電気的に接続されている。従って、放電用導電部４４を多点接続によりグランド層４２に接地することができるため、放電用導電部４４とグランド層４２との間のインピーダンスを確実に低下させることができ、その結果、静電気対策の信頼性を向上させることができる。
【００４４】
（２）プリント配線板４には電子部品であるスイッチ７２が設けられ、複数のビア４５が、スイッチ７２がプリント配線板４に設けられる箇所を取り囲むように設けられている。このため、スイッチ７２を取り囲む複数のビア４５のうちスイッチ７２の最も近くに設けられたビア４５を介して放電用導電部４４とグランド層４２とが接続されることにより、放電用導電部４４とグランド層４２との間のインピーダンスを確実に低下させることができる。その結果、静電気対策の信頼性をより向上させることができる。
【００４５】
（３）プリント配線板４は、放電用導電部４４が設けられる他のグランド層４３を備え、放電用導電部４４及びグランド層４３は、スイッチ７２がプリント配線板４に設けられる箇所から、所定間隔を空けて設けられている。このため、放電用導電部４４とスイッチ７２との間のインピーダンス、及びグランド層４３とスイッチ７２との間のインピーダンスを高めることができ、相対的に放電用導電部４４とグランド層４２との間のインピーダンスを低下させることができる。その結果、静電気対策の信頼性をより一層向上させることができる。
【００４６】
（４）グランド層４２は、スイッチ７２がプリント配線板４に設けられる箇所の中心Ｃから所定間隔を空けて設けられている。このような構成によれば、ビア４９とグランド層４２との間のインピーダンスを高めることができ、グランド層４２を介する放電用導電部４４と導体板５との間のインピーダンスを相対的に低下させることを図ることができる。
【００４７】
（５）投写型映像表示装置１は、スイッチ７２を押すための押しボタン７１を備え、筐体３と押しボタン７１とにより形成される隙間Ｍの延長線上に放電用導電部４４が設けられ、プリント配線板４の厚み方向Ｔにおいて隙間Ｍと放電用導電部４４が対向している。このため、筐体３と押しボタン７１との隙間Ｍから放電用導電部４４へ静電気を放電し易くすることができる。
【００４８】
（６）放電用導電部４４は、スイッチ７２がプリント配線板４に設けられる箇所を取り囲むように複数設けられ、複数の放電用導電部４４の間にビア４６が設けられている。従って、はんだペーストを用いて放電用導電部４４を形成するためのメタルマスク（不図示）の形状に起因して、１つの放電用導電部４４でスイッチ７２を取り囲むことができない場合には、上記のように複数の放電用導電部４４の間を有効に活用することができる。即ち、複数の放電用導電部４４の間にビア４６が形成されていない場合に比し、放電用導電部４４のインピーダンスを確実に低下させることができる。
【００４９】
（７）放電用導電部４４の形状は、プリント配線板４の厚み方向Ｔから見て、略長方形である。このため、放電用導電部４４の形状がプリント配線板４の厚み方向Ｔから見て円形である場合に比し、スイッチ７２がプリント配線板４に設けられる箇所を取り囲む周方向（本実施形態においては円周方向）について、放電用導電部４４の面積を大きくすることを容易に行うことができる。
【００５０】
（８）投写型映像表示装置１は、筐体３に収容されるとともに接地される導体板５を備え、グランド層４２上には接地用接続部４７が設けられ、導体板５に接地用接続部４７が接触することにより、グランド層４２と導体板５とが電気的に接続されている。このため、グランド層４２の一部にカバー層が設けられている場合であっても、グランド層４２上に設けられた接地用接続部４７が、カバー層に比し、導体板５へ向けて突出していることにより、グランド層４２と導体板５とが確実に接続される。従って、放電用導電部４４のインピーダンスをより一層確実に低下させることができる。その結果、静電気対策の信頼性をさらにより一層向上させることができる。
【００５１】
また、本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００５２】
・図７に示すように、放電用導電部４４が、スイッチ７２がプリント配線板４に設けられる箇所を取り囲む連続した形状をなすように設けられていてもよい。この場合、放電用導電部４４は、スイッチ７２等の電子部品をマスクしたフロー工程において形成することができる。また、カバー層を除去してグランド層４３を露出させることにより、グランド層４３の一部を、放電用導電部４４として形成することもできる。このように構成すれば、１つの放電用導電部４４でスイッチ７２を取り囲むことができ、スイッチ７２を取り囲む放電用導電部４４が不連続である場合に比し、放電用導電部４４の面積を大きくすることができる。
【００５３】
・上記実施形態においては、導体板５に接地用接続部４７が接触することにより、グランド層４２と導体板５とが電気的に接続されていたが、十分にカバー層を除去して導体板５にグランド層４２が直接接触するように構成してもよい。
【００５４】
・上記実施形態においては、接地用接続部４７は、スイッチ７２がプリント配線板４に設けられる箇所を取り囲むように複数設けられていたが、図８に示すように、接地用接続部４７が、スイッチ７２がプリント配線板４に設けられる箇所を取り囲む連続した形状をなすように設けられていてもよい。このような接地用接続部４７は、上述のごとくカバー層を除去してグランド層４２を露出させることにより形成することができ、また、フロー工程において形成することもできる。このように構成すれば、接地用接続部４７が不連続である場合に比し、接地用接続部４７と導体板５との接触部の面積を大きくすることができ、接触部のインピーダンスを確実に低下させることができる。
【００５５】
・上記実施形態においては、例えばはんだペーストにより形成された接地用接続部４７が導体板５に接触することにより、グランド層４２と導体板５とが電気的に接続されていたが、接地用接続部４７の代わりに導電性を有する部品（不図示）を用いて、この部品を介してグランド層４２と導体板５とを電気的に接続するように構成してもよい。
【００５６】
・上記実施形態においては、グランド層４２と、投写型映像表示装置１の基準電位となる導体６に接続された導体板５とを互いに接触させることにより接続していたが、この接続を、ビス、ワッシャー、ナット等の固定用の部品（不図示）を用いてもよい。
【００５７】
・上記実施形態においては、グランド層４２を、投写型映像表示装置１の基準電位となる導体６に接続された導体板５に接続することにより、接地していたが、この導体板５を用いずに、グランド層４２と基準電位となる導体６とを導線（不図示）で接続してもよい。この場合、導線とグランド層４２との接触、及び導線と導体６との接触に、ビス、ワッシャー、ナット等の固定用の部品（不図示）を用いてもよい。
【００５８】
・上記実施形態においては、グランド層４２を接触させる導体板５と、投写型映像表示装置１の基準電位となる導体６とは別個の導体であったが、これらが一体に形成されていてもよい。
【００５９】
・上記実施形態においては、複数のビア４５は円周をなすように設けられていたが、多角形の外周をなすように複数のビア４５が設けられていてもよい。即ち、筐体３と押しボタン７１とにより形成される隙間Ｍに応じて、スイッチ７２を取り囲む複数のビア４５の配置を適宜変更してもよい。
【００６０】
・上記実施形態においては、グランド層４３を備えていたが、放電用導電部４４を少なくとも２つ以上のビア４５を介してグランド層４２に接続することができれば、グランド層４３を介さずに、１つの放電用導電部４４を２つ以上のビア４５に接続するようにしてもよい。
【００６１】
・上記実施形態においては、本発明を投写型映像表示装置１に適用した場合について説明したが、テレビ受信機やオーディオ機器等のその他の電子機器についても上記実施形態に準じた態様をもって本発明を適用することはできる。その場合にも上記実施形態に準じた作用効果を奏することができる。
【図面の簡単な説明】
【００６２】
【図１】本発明の実施形態に係る電子機器である投写型映像表示装置の外観を示す斜視図。
【図２】同実施形態に係る投写型映像表示装置の断面を説明するための断面図。
【図３】同実施形態に係るプリント配線板を示す図であって、スイッチが実装される面を示すプリント配線板の上面図。
【図４】同実施形態に係るプリント配線板を示す図であって、スイッチが実装される面の反対側を示すプリント配線板の下面図。
【図５】図３に示すＡ−Ａ部分の断面図。
【図６】図３に示すＢ−Ｂ部分の断面図。
【図７】その他の実施形態に係るプリント配線板を示す図であって、スイッチが実装される面を示すプリント配線板の上面図。
【図８】その他の実施形態に係るプリント配線板を示す図であって、スイッチが実装される面の反対側の面を示すプリント配線板の下面図。
【符号の説明】
【００６３】
Ｃ…スイッチが設けられる箇所の中心、Ｍ…隙間、Ｓ…面方向、Ｔ…厚み方向、１…投写型映像表示装置（電子機器）、２…投写レンズ、３…筐体、４…プリント配線板、４ａ…上面、４ｂ…下面、５…導体板、７…押しボタンスイッチ、３１…貫通孔、３２…配線板支持部、４１…基板、４２，４３…グランド層、４４…放電用導電部、４５，４６…ビア、４７…接地用接続部、４８…導電層、４９…ビア、７１…押しボタン、７２…スイッチ。
【図１】
2010135230.tif 000003
【図２】
2010135230.tif 000004
【図３】
2010135230.tif 000005
【図４】
2010135230.tif 000006
【図５】
2010135230.tif 000007
【図６】
2010135230.tif 000008
【図７】
2010135230.tif 000009
【図８】
2010135230.tif 000010